(57)【要約】【課題】  カメラ付きインターホン装置において、天井等からの照明光の写り込みを防止し、カメラで被写体の映像を明確に撮影する。【解決手段】  インターホン装置１のハウジング２にマイクとスピーカを設けるとともに、カメラ５を上下方向の角度調節可能に支持する。カメラ５のレンズ２０を透光カバー６で覆い、天井の照明器具で照らされた被写体をカメラ５によって撮像する。レンズ２０にレンズカバー２１を装着し、レンズカバー２１に、被写体からの反射光をレンズ２０に入射させる開口部２５と、照明器具からの直射光を遮る遮光部２６とを設ける。開口部２５はレンズ２０の球面を露出させる円形に形成され、遮光部２６がカメラ５の撮像範囲の外側において開口部２５の上部を塞ぐように形成される。遮光部２６に、レンズカバー２１と一体の庇を突設したり、レンズカバー２１と別体の庇パッドを接着したりすることで、より広範囲からの直射光を遮蔽できる。【選択図】        図２
2014099682.tif 000002
【特許請求の範囲】
【請求項１】
ハウジングに通話手段とカメラを装備し、該カメラのレンズを透光カバーで覆い、外部の照明器具で照らされた被写体を前記カメラによって撮像するインターホン装置において、
前記レンズにレンズカバーを装着し、該レンズカバーに、前記被写体からの反射光をレンズに入射させる開口部と、前記照明器具からの直射光をレンズに入射させないように遮る遮光部とを設けたことを特徴とするインターホン装置。
【請求項２】
前記開口部が前記レンズの球面を露出させる円形に形成され、前記遮光部が前記カメラの撮像範囲の外側において前記開口部の一部を塞ぐように形成されている請求項１記載のインターホン装置。
【請求項３】
前記ハウジングが前記レンズカバーの前面を前記透光カバーの内側に露出させる窓穴と、前記レンズカバーを傾動可能に支持する支持部とを備え、前記開口部および遮光部が前記レンズカバーの前面に形成されている請求項２記載のインターホン装置。
【請求項４】
前記遮光部が前記レンズカバーの前面から前方へ突出する庇を備えた請求項３記載のインターホン装置。
【請求項５】
前記庇が前記レンズカバーの上部において水平方向に延びるように形成されている請求項４記載のインターホン装置。
【請求項６】
前記遮光部および前記庇が前記レンズカバーに一体形成されている請求項５記載のインターホン装置。
【請求項７】
前記遮光部が前記レンズカバーに一体形成され、前記庇が前記レンズカバーの前面に接着されている請求項５記載のインターホン装置。
【発明の詳細な説明】
【技術分野】
【０００１】
本発明は、通話手段とカメラを装備したインターホン装置に関し、詳しくは、カメラの映像から外部照明光の写り込みをなくす機能を備えたインターホン装置に関する。
【背景技術】
【０００２】
従来、カメラと照明器具を内蔵したインターホン装置において、内部照明光をカメラに入射させない技術が知られている。例えば、特許文献１には、来訪者を照明する赤外発光素子と、照明された来訪者を撮像するカメラとをハウジングに内蔵したインターホン子機において、ハウジングの前面にカメラを隠す半透明の透光カバーを装着し、透光カバーの内面で反射した赤外光を該内面に突設したリブで遮ってカメラに入射させないことにより、カメラの映像から内部照明光の写り込みを解消する技術が記載されている。
【先行技術文献】
【特許文献】
【０００３】
【特許文献１】特公平７−１１４４９１号公報
【発明の概要】
【発明が解決しようとする課題】
【０００４】
ところが、集合住宅用の玄関機（集合玄関機）などは、照明器具を内蔵せず、外部に設置された照明器具からの光で被写体を照らしているため、外部照明光の一部がカメラのレンズに入射するという問題点があった。例えば、図６（ａ）に示すように、集合玄関機１が傾斜台８または壁面に設置され、照明器具９が天井に設置されている場合、照明光の直射光Ｌがカメラ５に入射し、図６（ｂ）に示すように、居室や管理室に設置されたインターホン親機のモニタ１０にゴーストＧが写り込み、被写体（来訪者）Ｏの顔立ちが不明確になることがあった。
【０００５】
そこで、本発明の目的は、外部照明光の写り込みを防止し、カメラで被写体の映像を明確に撮影できるインターホン装置を提供することにある。
【課題を解決するための手段】
【０００６】
上記課題を解決するために、本発明は、ハウジングに通話手段とカメラを装備し、カメラのレンズを透光カバーで覆い、外部の照明器具で照らされた被写体をカメラによって撮像するインターホン装置において、次のような手段を設けたことを特徴とする。
【０００７】
（１）カメラのレンズにレンズカバーを装着し、レンズカバーに、被写体からの反射光をレンズに入射させる開口部と、照明器具からの直射光をレンズに入射させないように遮る遮光部とを設けたことを特徴とするインターホン装置。
【０００８】
（２）レンズカバーの開口部がレンズの球面を露出させる円形に形成され、遮光部がカメラの撮像範囲の外側において開口部の一部を塞ぐように形成されていることを特徴とするインターホン装置。
【０００９】
（３）ハウジングがレンズカバーの前面を透光カバーの内側に露出させる窓穴と、レンズカバーを傾動可能に支持する支持部とを備え、レンズカバーの前面に開口部および遮光部が形成されていることを特徴とするインターホン装置。
【００１０】
（４）遮光部がレンズカバーの前面から前方へ突出する庇を備えたことを特徴とするインターホン装置。
【００１１】
（５）庇がレンズカバーの上部において水平方向に延びるように形成されていることを特徴とするインターホン装置。
【００１２】
（６）遮光部および庇がレンズカバーに一体的に形成されていることを特徴とするインターホン装置。
【００１３】
（７）遮光部がレンズカバーに一体的に形成され、庇がレンズカバーの前面に接着されていることを特徴とするインターホン装置。
【発明の効果】
【００１４】
本発明のインターホン装置によれば、レンズカバーに開口部と遮光部を設け、被写体からの反射光を開口部に通してレンズに入射させ、外部照明器具からの直射光を遮光部で遮ってレンズに入射しないように構成したので、外部照明光の写り込みを防止し、カメラで被写体の映像を明確に撮影できるという効果がある。
【図面の簡単な説明】
【００１５】
【図１】本発明の一実施形態を示すインターホン装置の正面図である。
【図２】図１のインターホン装置のカメラを示す要部破断側面図である。
【図３】図２のカメラのレンズカバーを示す部品図である。
【図４】図２のカメラが上方へ傾動した状態を示す断面図である。
【図５】図２のカメラが下方へ傾動した状態を示す断面図である。
【図６】本発明の課題を説明するインターホン装置の据付図である。
【発明を実施するための形態】
【００１６】
以下、本発明の一実施形態を図面に基づいて説明する。図１に示すインターホン装置１は、集合住宅の玄関に設置される集合玄関機（図６参照）であって、ハウジング２の内部に通話手段としてのマイク３とスピーカ４、およびカメラ５を装備している。ハウジング２の前面にはカメラ５を覆う半透明の透光カバー６が装着され、透光カバー６の下側に呼出ボタンや室番号キーを備えた操作部７が設けられている。そして、玄関機周辺の来訪者を含む被写体をカメラ５によって撮像し、その映像を居室または管理室に設置された親機のモニタに表示した状態で、来訪者と居住者または管理人との間で通話を行うようになっている。
【００１７】
図２に示すように、カメラ５はハウジング２の前パネル１２と後パネル１３との間に配置され、上下のチルト角を調節可能に支持されている。カメラ５のボディ１４は半球形に形成され、後パネル１３にボディ１４を傾動可能に支持する球形凹部１５が設けられている。ボディ１４の背面には角度調節摘み１６が突設され、ボディ１４の前面にカメラ基板１７が固定されている。カメラ基板１７にはホルダ１８を介して撮像素子１９とレンズ２０が保持され、レンズ２０にレンズカバー２１が装着されている。前パネル１２にはレンズカバー２１の前面を透光カバー６の内側に露出させる窓穴２２と、レンズカバー２１を傾動可能に支持する支持部２３とが設けられている。
【００１８】
図３に示すように、レンズカバー２１はレンズ２０に被さるカップ形に成形され、レンズカバー２１の前面に開口部２５と遮光部２６とが形成されている。開口部２５は、レンズ２０の球面が露出するように円形に形成され、集合玄関機周辺の被写体Ｏ（図６参照）からの反射光をレンズ２０に入射させる。一方、遮光部２６は、カメラ５の撮像範囲（図２に示す垂直方向の画角α）の外側において、開口部２５の上部を塞ぐように形成され、玄関の天井部に設置された照明器具９からの直射光Ｌ（図４、図５参照）を遮って、レンズ２０に入射させないようになっている。
【００１９】
また、限られた面積の遮光部２６でより広範囲からの直射光Ｌを遮蔽できるように、遮光部２６の前面に庇２７がレンズカバー２１と一体に形成されている。庇２７は、レンズカバー２１の前面から前方（レンズ２０の光軸Ａ方向）に突出し、かつ、水平方向へ細長く延びるように形成されている。さらに、庇２７の上側において、遮光部２６には横長四角形の浅い凹所２８が形成され、必要に応じて、この凹所２８にレンズカバー２１とは別体の柔軟材料からなる庇パッド２９が接着される。なお、庇２７の突出高さは、０．５〜１．５ｍｍ程度であり、庇２７の長さは、カメラ５のチルト上限位置で両端が前パネル１２の窓穴２２の内周縁に当接しない程度に設定されている。
【００２０】
上記構成のインターホン装置１によれば、図４に示すカメラ５のチルト上限位置において、レンズカバー２１の遮光部２６が照明器具９からの直射光Ｌを遮り、図５に示すチルト下限位置では、レンズカバー２１の外周面が直射光Ｌを遮る。このため、カメラ５がどの角度に調節されている場合でも、外部照明光の写り込みを防止し、被写体Ｏの映像を明確に撮影できる。また、遮光部２６はカメラ５の撮像範囲の外側に設けられているので、遮光部２６自体が写り込むおそれもない。特に、遮光部２６に庇２７または庇パッド２９を突設することで、より広範囲からの直射光Ｌを遮蔽でき、インターホン装置１を照明器具９の設置場所や向きが異なる多様な集合住宅の玄関機として汎用することができる。
【００２１】
なお、本発明のインターホン装置１は、集合住宅の玄関機に限定されるものではなく、戸建住宅の玄関子機、ナースコール子機または親機、介護施設の室内機など、各種のカメラ付きインターホン装置に適用することもできる。その他、本発明の趣旨を逸脱しない範囲で、各部の形状や構成を適宜に変更して実施することも可能である。
【符号の説明】
【００２２】
１    インターホン装置
２    ハウジング
３    マイク
４    スピーカ
５    カメラ
６    透光カバー
９    照明器具
２０    レンズ
２１    レンズカバー
２２    窓穴
２３    支持部
２５    開口部
２６    遮光部
２７    庇
２９    庇パッド
Ｏ    被写体
Ｌ    直射光
【図１】
2014099682.tif 000003
【図２】
2014099682.tif 000004
【図３】
2014099682.tif 000005
【図４】
2014099682.tif 000006
【図５】
2014099682.tif 000007
【図６】
2014099682.tif 000008